(57)【要約】【課題】  カムとカムフォロアによって光軸方向に移動するレンズに対し、操作性と作業性を向上し、光学性能を劣化させない、レンズ装置の光学性能を確認しながらの偏心調整を可能とするレンズ装置を提供する。【解決手段】  レンズ装置は、レンズを保持するレンズ保持部と、レンズ保持部を保持しカムフォロアを備える移動筒と、カムフォロアと摺接するカム溝を有するカム筒と、光軸方向に延在しカムフォロアと摺接するガイド溝を有する固定筒と、を有し、カム筒の固定筒に対する光軸周りでの回転角によって移動筒の光軸方向の位置を決めるようにカム溝とガイド溝が構成され、移動筒は、一方の移動端でカム筒の端部から光軸方向に突出すると共に、その突出した部分に光軸に垂直な平面内での移動筒に対するレンズ保持部の位置を調整する偏心調整機構を有し、固定筒は、偏心調整機構を操作する調整工具を径方向外側から挿入可能な工具挿入穴を有する。【選択図】  図１
2015191141.tif 000002
【特許請求の範囲】
【請求項１】
レンズを保持するレンズ保持部と、
前記レンズ保持部を保持し、カムフォロアを備える移動筒と、
前記カムフォロアと摺接するカム溝を有するカム筒と、
光軸方向に延在し、前記カムフォロアと摺接するガイド溝を有する固定筒と、
を有するレンズ装置であって、
前記カム筒の前記固定筒に対する光軸周りでの回転角によって前記移動筒の光軸方向の位置を決めるように前記カム溝と前記ガイド溝が構成され、
前記移動筒は、一方の移動端において前記カム筒の端部から光軸方向に突出すると共に、その突出した部分に、光軸に垂直な平面内での前記移動筒に対する前記レンズ保持部の位置を調整する偏心調整機構を有し、
前記固定筒は、前記偏心調整機構を操作する調整工具を径方向外側から挿入可能な工具挿入穴を有する、
ことを特徴とするレンズ装置。
【請求項２】
前記レンズ保持部は前記移動筒と光軸に垂直な面で互いに接触し、前記レンズ保持部は弾性部材によって前記移動筒との前記接触面に付勢され、
前記偏心調整機構は、径方向中心側に向けて前記レンズ保持部を押圧する押圧手段を含み、
前記調整工具は、前記押圧手段と当接し前記押圧手段を径方向中心側に向けて押圧する、
ことを特徴とする請求項１に記載のレンズ装置。
【請求項３】
前記調整工具は、前記固定筒に着脱可能に固定される工具本体と、該工具本体を貫通するネジ穴と螺合する偏心調整軸を有し、
前記偏心調整軸は、前記工具挿入穴を介して、前記押圧手段の径方向外側の面と当接する平面を有し、
前記偏心調整軸は、前記工具本体とのネジ機構により、前記押圧手段を径方向中心側に向けて押圧する、
ことを特徴とする請求項２に記載のレンズ装置。
【請求項４】
前記偏心調整機構は、前記移動筒を周方向に４つに等分割した位置に４つの前記押圧手段を有し、
前記固定筒は、前記移動筒の前記４つの押圧手段に対応する位置に４つの前記工具挿入穴を有する、
ことを特徴とする請求項２又は３に記載のレンズ装置。
【請求項５】
前記固定筒の径方向外側には、前記固定筒と摺動して光軸周りで回転する操作環を有し、前記操作環には、前記調整工具が前記工具挿入穴を貫通するときに貫通する貫通穴部を有し、前記貫通穴部は前記操作環の操作補助部材で塞ぐことを特徴とする請求項１乃至４のいずれか１項に記載のレンズ装置。
【請求項６】
前記固定筒は、前記光軸方向に分割可能な複数の部品から構成され、前記複数の部品は、前記操作環に設けられた前記貫通穴部から挿入する締結手段で互いに固定することを特徴とする請求項１乃至５のいずれか１項に記載のレンズ装置。
【請求項７】
前記カム筒の前記カム溝と前記カムフォロアが摺接する範囲の一方の端部を、第１端部と該第１端部より広い範囲を与える第２端部とで切替える規制機構を有し、
前記カム溝と前記カムフォロアが摺接する範囲の端部が前記規制機構によって前記第２端部に切替えられた状態で、前記カム溝と前記カムフォロアが前記第１端部で規制された範囲の外部で、前記偏心調整機構による前記レンズ保持部の偏心調整が行われる、
ことを特徴とする請求項１乃至６のいずれか１項に記載のレンズ装置。
【請求項８】
前記調整工具が前記押圧手段と当接し前記押圧手段を径方向中心側に向けて押圧する位置において、前記移動筒は、前記固定筒の固定筒嵌合部に嵌合する移動筒嵌合部を有し、該固定筒嵌合部と該移動筒嵌合部は、前記移動筒の前記固定筒に対する径方向の移動を規制することを特徴とする請求項２乃至４のいずれか１項に記載のレンズ装置。
【請求項９】
請求項１乃至８のいずれか１項に記載のレンズ装置と、該レンズ装置からの被写体光を受光する撮像素子とを有する撮像装置。
【発明の詳細な説明】
【技術分野】
【０００１】
本発明はレンズ装置に関し、特に、レンズを保持し光軸方向にレンズを移動させる移動機構の光軸周りの偏心を調整可能とする構成を有するレンズ装置、及びそれを有する撮像装置に関するものである。
【背景技術】
【０００２】
レンズ群の位置を光軸に対して垂直な平面内を偏心調整する構造として、特許文献１では、長穴に挿入された偏心軸を回転することによってレンズ群を偏心調整する構造を提案している。また、特許文献２では、カムとカムフォロアによって光軸方向に移動するレンズ群に対して、カムフォロア内径にある調整ネジを回して、調整ネジが鏡筒を押すことによりレンズ群を偏心調整する構造を提案している。
【先行技術文献】
【特許文献】
【０００３】
【特許文献１】特開２０１０−２５６５６７号公報
【特許文献２】特開平０８−３２７８７２号公報
【発明の概要】
【発明が解決しようとする課題】
【０００４】
カムとカムフォロアによって光軸方向に移動する移動レンズ群で、光軸方向前後に別のレンズ群が存在する移動レンズ群の軸を偏心調整する場合、以下の課題がある。特許文献１では、調整のための偏心軸の中心軸方向と光軸方向は同じであるため、調整工具を偏心軸に挿入するためには、前後のレンズ群を分解して取り外す作業が必要である。また、特許文献２では、偏心調整時に使用する工具を着脱する際に、カムやカムフォロアを傷つけ、カムとカムフォロアの摺動性が悪化する可能性があるため、製品使用時における作動性能の悪化につながる。
【０００５】
そこで、本発明の目的は、カムとカムフォロアによって光軸方向に移動するレンズ群に対し、前後のレンズ群を分解することなく、かつ、カムやカムフォロアに損傷を与えることなく偏心調整する構造を提供するものである。
【課題を解決するための手段】
【０００６】
上記目的を達成するために、本発明のレンズ装置は、レンズを保持するレンズ保持部と、前記レンズ保持部を保持し、カムフォロアを備える移動筒と、前記カムフォロアと摺接するカム溝を有するカム筒と、光軸方向に延在し、前記カムフォロアと摺接するガイド溝を有する固定筒と、を有し、前記カム筒の前記固定筒に対する光軸周りでの回転角によって前記移動筒の光軸方向の位置を決めるように前記カム溝と前記ガイド溝が構成され、前記移動筒は、一方の移動端において前記カム筒の端部から光軸方向に突出すると共に、その突出した部分に、光軸に垂直な平面内での前記移動筒に対する前記レンズ保持部の位置を調整する偏心調整機構を有し、前記固定筒は、前記偏心調整機構を操作する調整工具を径方向外側から挿入可能な工具挿入穴を有する、ことを特徴とする。
【発明の効果】
【０００７】
本発明によれば、カムとカムフォロアによって光軸方向に移動するレンズに対し、カムやカムフォロア以外の位置でレンズ装置の光学性能を確認しながら偏心調整するため、操作性と作業性を向上するとともに、駆動性能に影響を及ぼさない偏心調整を可能としたレンズ装置及びそれを有する撮像装置を提供するものである。
【図面の簡単な説明】
【０００８】
【図１】本発明の実施例１におけるレンズ装置の偏心調整時の状態を示した部分断面図である。
【図２】本発明の実施例１における製品使用状態を示した部分断面図である。
【図３】本発明の実施例１におけるレンズ装置の偏心調整時の望遠側の部分断面図である。
【図４】本発明の実施例２におけるレンズ鏡筒の偏心調整時の状態を示した部分断面図である。
【図５】図４の（ａ）Ａ−Ａ断面図、（ｂ）Ｂ−Ｂ断面図である。
【図６】偏心調整時における、図４の（ａ）Ａ−Ａ断面図、（ｂ）Ｂ−Ｂ断面図である。
【図７】本発明の実施例３におけるレンズ装置の部分断面図である。
【発明を実施するための形態】
【０００９】
以下に、添付図面を参照して、本発明の実施例について説明する。
【実施例１】
【００１０】
図１から図３を参照しながら、本実施例のレンズ装置について説明する。図１は本実施例における偏心調整実施時のレンズ装置の部分断面図であり、図２は図１に対して製品のレンズとしての使用状態を示した部分断面図である。また、図３は図１に対して、可動光学要素であるズームレンズが望遠側に位置した状態の部分断面図を示したものである。なお、本発明の実施例の説明において、光軸方向に移動する構成を有する可動光学要素としてズームレンズを例示するが、本発明はこれに限定されることはない。フォーカスレンズなど、他の光学要素で光軸方向に移動可能な構成の偏心調整をする場合にも本発明の構成は同様に適用可能である。
【００１１】
図１、２、３、４、７のレンズの断面図においては、左側を物体側、右側を（像側）撮像装置側として説明する。また、以下の説明において、レンズ内の位置関係を記載する際に、物体側を前側、像側を後側とも記載する。
【００１２】
図１を参照して、レンズ装置のカム機構について説明する。レンズ装置１は、レンズ保持部と複数のレンズと複数のレンズのうちの幾つかのレンズを駆動する駆動系を有する。本実施例の駆動系はいわゆるカム機構を利用してレンズ群を光軸方向に移動させてズーミングを行うものである。複数のレンズは、ズーミングを行うレンズ５０を含むズームレンズ、フォーカシングを行うレンズ５１を含むフォーカスレンズ、不図示のリレーレンズより構成される。レンズ５０は、押え環やカシメなどのレンズ保持構造によってレンズ保持部４に固定されている。レンズ保持部４は、レンズ保持部４が光軸５２に対して垂直な平面内を移動できるように、レンズ保持部４の外径と移動筒３ａの内径の間に隙間がある状態で、移動筒３ａにレンズ保持部固定ネジ６０によって固定されている。カムフォロア７は移動筒３ａに固定され、回転するカム５にあるカム溝６と、固定筒８ａ上に光軸方向に延在する直線溝（ガイド溝）９に摺接する。ここで、カムフォロア７、カム溝６、直線溝９は、光軸周りで略等分割した３か所に配置することで、移動筒３ａの姿勢を維持しながら光軸方向に移動可能な構成としている。カム５は、連結環１０ａによって光軸周りに回転可能な状態で固定筒８ａの内径部に保持されている。カム５が回転すると、カムフォロア７はカム溝６に沿って光軸方向に移動し、レンズ５０の位置が変化することでズーミングを行う。すなわち、カム筒の固定筒に対する光軸周りでの回転角によって移動筒の光軸方向の位置を画定するようにカム溝と直線溝が構成されている。なお、本実施例では、ズームレンズは一枚のレンズで表現しているが、実際には不図示の複数のレンズからなるレンズ群がカムの回転によって光軸方向を移動するものである。カム５は、固定筒８ａの外周部を嵌合して摺動する後側目盛環３３ａと連動して（または一体となって）回転するため、撮影者は後側目盛環３３ａを手動もしくは電動によって回転操作することでズーミングし、所望の画角を得ることができる。
【００１３】
次に、本実施例におけるレンズ５０を偏心調整する構造について説明する。レンズ保持部固定ネジ６０は移動筒３ａに対して螺入され、バネ座金などの弾性部材を介しレンズ保持部４を移動筒３ａに対して光軸方向に押圧している。レンズ保持部４と移動筒とは光軸５２に垂直な平面で互いに接しているため、レンズ保持部４を光軸５２と垂直な方向から力を加えると、レンズ保持部４と移動筒は互いに接している面で摺動し、レンズ保持部４が前述した移動筒３ａとの隙間の範囲で移動する。レンズ保持部４の外径には、円筒状の押しピン２０が、押しピン２０の中心軸方向に移動を可能とするように移動筒３ａに光軸に垂直な方向で設けられたガイド穴に隙間がある状態で保持されている。移動筒３ａは、ズームレンズが広角側（光軸方向における移動範囲の前側端）の位置にあるときに、カム５の前側端面よりも光軸方向前側に突出する。移動筒３ａに光軸に垂直な方向で設けられたガイド穴は、この突出した部分に構成されている。
【００１４】
後述する偏心調整軸（調整工具）２１の先端と面で接触（当接）するように、押しピン２０のレンズの径方向外側の先端には平面が設けられている。偏心調整時においては、偏心調整軸２１は、固定筒８ａの外径部の回転する回転目盛環３１上に設けられた工具挿入穴（貫通穴部）２ａ、連結環１０ａに設けられた工具挿入穴２ｂを通して、レンズの径方向外側から回転操作可能（調整操作可能）できるように外部へ突出している。偏心調整軸２１は、固定筒８ａに設けられたネジ穴に工具固定ネジ２３によって着脱可能に固定された工具本体２２ａに、レンズ保持部の径方向中心側にネジ送り可能な態様でネジ部によって螺合している。押しピン２０は、レンズ保持部４の光軸周りを等分割した４か所に配置している。偏心調整軸２１は、押しピン２０と対応する位置、即ち、光軸周りを等分割した４か所に配置している。偏心調整軸２１をこの位置に配置するため、工具本体２２ａ、工具挿入穴２ａ、２ｂ、工具固定ねじ２３を同様に光軸周りに等分割した４か所に配置している。
【００１５】
レンズ５０（レンズ保持部４）の位置を所望する量だけ光軸に垂直な平面内でレンズ保持部４の位置を偏心調整する場合、次のような作業により実施する。
【００１６】
作業者は、偏心調整軸２１を光軸５２に向かって（レンズ保持部の径方向中心側へ）移動するように偏心調整軸２１と工具本体２２ａのネジ機構を締め付ける。すると、偏心調整軸２１の先端と接している押しピン２０が光軸５２（レンズ保持部の径方向中心側）に向かって力を受けるため、レンズ保持部４は移動筒３ａに対して、力を受けている押しピン２０の中心軸の対応する方向に位置が変化する。調整しようとする偏心調整軸２１に対して、反対側の偏心調整軸２１が押しピン２０と接していない状態であれば、反対側の偏心調整軸２１が押しピン２０と当接する位置まで、レンズ保持部を移動させることができる。もし、反対側の偏心調整軸２１が押しピン２０と当接している場合は、予め、反対側の偏心調整軸２１を光軸５２から退避する方向に回転させて反対側の偏心調整軸２１が押しピン２０との間に遊びを作ることで偏心調整ができるようになる。偏心調整する方向は、押しピン２０と偏心調整軸２１を配置した４つの方向から調整することができるため、直交する２つの方向からレンズ保持部４の位置を所望の位置に調整することが可能である。
【００１７】
偏心調整を実施する際に、１つの偏心調整軸２１のみを対応する押しピン２０と接触させて、対応する方向に押しピンを押圧して偏心調整することができる。また、一方向に押しピンを押圧して偏心調整する際に、押圧する方向とは直交する方向の２つの偏心調整軸２１を押しピン２０に接触させた状態で調整を行ってもよい。これによって、押し方向とは直交する方向へのレンズ保持部の移動を抑制し、作業者の意図しない方向（調整方向とは直交する方向）へレンズ保持部が移動してしまうことを未然に防止するようにしてもよい。
【００１８】
また、レンズ保持部４は、移動筒３ａとの接触面での摩擦力により、衝撃が加わっても動かないような力でレンズ保持部固定ネジ６０によって固定されている。しかし、より強固な固定として押しピン２０と移動筒３ａの間を接着などにより調整後に固定しても良い。レンズ保持部４の偏心調整を行う際は、ズームレンズの位置が前側端部にある広角側で実施するが、偏心調整軸２１を緩めることにより押しピン２０と偏心調整軸２１の接触を解除し、後側目盛環３３ａを回転すれば、工具本体２２ａを固定筒８ａから取り外すことなく、図３に示す望遠側の状態にすることができる。そのためズーミング途中での光学性能の確認作業と、偏心調整作業とをスムースに実施できる。
【００１９】
工具挿入穴（貫通穴部）２ａは、固定筒８ａの外径部で回転する回転目盛環３１上に偏心調整軸２１と対応するように４か所設けられている。回転目盛環３１は、前側回転環(操作環)３２と周方向をテープなどの接着手段によって連結固定されるものである。前側回転環３２を回転すると、それに伴い連結ピン３６と連結ピン３６を固定している前側移動鏡筒３５も回転する。前側移動鏡筒３５は、前側固定筒３０とネジ送り機構によって連結しているため、前側移動鏡筒３５が回転すると前側移動鏡筒３５に固定されているレンズ５１が光軸方向に移動する。このように回転目盛環３１は、固定筒８ａに対して回転するため、工具挿入穴２ａが１か所でも回転目盛環３１の回転位置を変えることでレンズ保持部４の偏心調整は４方向から可能となるため、穴を加工する負荷を軽減することも可能である。また、工具挿入穴２ａは、製品使用状態においては、回転目盛環３１の手動操作を補助するためのゴムリング（操作補助部材）３７によって隠れるため、穴を隠すための専用部材を用いることなくゴミなどの内部への侵入を防ぐことができ、部品点数が削減できる。また、外観の美観を損ねることもない。さらに、工具挿入穴２ａは、分割可能に構成された固定筒、例えば、固定筒８ａと前側固定筒３０、を固定している固定ネジ（締結手段）６１ａを締結するための工具を挿入する穴を兼ねているため、工具を挿入するための穴を別途設ける必要がない。
【００２０】
以上のように、本実施例によれば、カム機構で駆動するレンズ保持部４の位置は、前後にあるレンズを外すことなく、偏心調整軸２１によって、光軸５２と垂直な平面内を偏心調整することができる。また、押しピン２０が偏心調整軸２１と接触する位置は、カム５の先端から突出した位置であるため、カム穴等のカム機構を偏心調整手段として併用する機構に対し、偏心調整時に工具が意図せずにカムやカム溝を傷つけることがない。本実施例では、ズーム部を例に説明したが、同様の構造を用いたフォーカス部などの移動光学要素に対しても適用することができる。
【実施例２】
【００２１】
図４から図６を参照しながら、本実施例におけるレンズ装置について説明する。
【００２２】
図４は、本発明の実施例２におけるレンズ鏡筒の部分断面図である。図５は、ストッパー位置調整軸が退避（光軸から離れる方向へ移動）している状態における、（ａ）図４のＡ−Ａ断面図、（ｂ）図４のＢ−Ｂ断面図を示したものである。図６は、偏心調整時における、（ａ）図４のＡ−Ａ断面図、（ｂ）図４のＢ−Ｂ断面図を示したものである。
【００２３】
実施例１に記載した偏心調整機構を有するレンズ装置においては、レンズ装置の可動光学要素（ズームレンズ）のレンズ装置としての通常使用する駆動範囲の端において偏心調整を実施した。これに対して、本実施例においては、偏心調整を実施する可動光学要素の位置は、レンズ装置として通常使用する範囲外とすることを特徴とするものである。
【００２４】
本実施例のレンズ装置は、基本的な構成は図１に示した第１の実施例のレンズ装置と同等の構成を有するが、特徴的な構成を図５、図６に示す、ズームレンズのカム機構の回転端（ズームレンズの光軸方向の移動端）を規制するためのストッパー構造を有する。
【００２５】
本実施例におけるズーム回転操作端の構造について図５を参照して説明する。
【００２６】
円筒状のストッパー１１は、カム５に固定されており、後側目盛環３３ｂに有する穴と嵌合している。撮影者が後側目盛環３３ｂを図５における時計方向に回転操作すると、後側目盛環３３ｂとストッパー１１、カム５が一体となって広角側操作端まで回転する。広角側操作端（偏心調整を実施する側の操作端）では、ストッパー１１のストッパー接触面１５ａが回転規制板１２の回転規制板端面１６に接触することで回転端を規定している。回転規制板１２は、固定筒８ｂに設けられた溝内に配置され埋没して配置されている。また、固定筒８ｂに固定されたガイド軸１３が、回転規制板１２に設けられた穴に摺動可能に貫通しているため、回転規制板１２は光軸周りの固定筒に対する回転は規制され、移動方向５３ａ、５３ｂのみに制限されている。図５に示す撮影状態においては、工具本体２２ｂに螺合しているストッパー位置調整軸２４が光軸から退避する方向に移動していて、回転規制板１２がスプリング１４によって移動方向５３ａに付勢されているため、図５（ｂ）に示す位置に回転規制板１２が位置決めされる。
【００２７】
本実施例において、ストッパー１１、回転規制板１２、スプリング１４、ストッパー位置調整軸２４で、カム溝とカムフォロアが摺接する範囲の一方の端部（前側端部）を第１端部と該第１端部より広い範囲を与える第２端部とで切替える規制機構を構成する。
【００２８】
次に、本実施例におけるレンズ５０の偏心調整する構造について図６を参照して説明する。偏心調整時には、工具本体２２ｂにネジを介して連結しているストッパー位置調整軸２４を回転し、移動方向５３ｂにネジ送りする。すなわち、ストッパー位置調整軸２４が光軸に近づく方向にネジ送りする。このとき、ストッパー位置調整軸２４の先端は回転規制板１２と接しているために、回転規制板１２はストッパー位置調整軸２４に押圧されながらガイド軸１３に沿って移動方向５３ｂに移動し、図６（ｂ）の状態になる。後側目盛環３３ｂを図６において時計方向に回転操作すると、ストッパー１１の、ストッパー接触面１５ａよりも光軸に近い側にあるストッパー接触面１５ｂが回転規制板１２の回転規制板端面１６に接触し回転が止まる。ストッパー１１のストッパー接触面１５ｂの外径は、ストッパー接触面１５ａの外径よりも小さいため、前述した広角側操作端よりも時計方向により回転した状態で回転が規制される。すなわち、図５の状態よりもストッパー接触面１５ａと１５ｂの半径差の分だけさらに回転した位置で回転が規制される。この状態において、実施例１と同様に、偏心調整軸２１を用いて、実施例１と同様にレンズ５０の位置を光軸５２に対して垂直な平面内を偏心調整する。レンズ保持部４を所望の光軸へ偏心調整する場合、偏心調整軸２１を回転して、押しピン２０を押していくが、押す力が必要以上に大きくなった場合、移動筒３に固定されているカムフォロア７にも負荷が加わり、カム溝６の変形につながる恐れがある。本実施例で示した図６に示す回転操作端は、製品としてレンズを使用している状態では使用しないカム溝６の範囲である。そのため、たとえカム溝６が変形したとしても、製品使用状態においては、カムフォロア７がその変形箇所と接することはなく、後側目盛環３３ｂの操作性を損なうことはない。
【００２９】
以上のように、本実施例のレンズ装置によれば、実施例１で述べた効果に加え、偏心調整時にカム溝６が変形した場合であっても製品使用状態においては操作性を損なうことがないレンズ装置を提供できるという効果を奏することができる。
【実施例３】
【００３０】
図７を参照しながら、本実施例のレンズ装置について説明する。図７は本実施例における偏心調整実施時のレンズ装置の部分断面図である。
【００３１】
本実施例のレンズ装置は、基本的な構成は図１に示した第１の実施例のレンズ装置と同等の構成を有するが、特徴的な構成として、第１の実施例の移動筒３ａに代えて、移動筒３ｂ、連結環１０ａに代えて、連結環１０ｂを有する。
【００３２】
移動筒３ｂには、連結環１０ｂの内径部と嵌合する移動筒嵌合部１７を有する。偏心調整を実施する広角側において、移動筒嵌合部１７は、連結環（固定筒嵌合部）１０ｂと嵌合するものであり、望遠側にズーミングすると（前側端部から離れる方向に移動すると）嵌合が外れる。レンズ保持部４を所望の光軸へ偏心調整する場合、偏心調整軸２１を回転して、押しピン２０を押すが、その押す力が想定より大きくなった場合、移動筒３に固定されているカムフォロア７にも負荷が加わり、カム溝６の変形につながる恐れがある。そこで、偏心調整をする位置である広角側においてのみ移動筒嵌合部１７が連結環１０ｂの内径と嵌合することで、カムフォロア７に加わる負荷を軽減する。
【００３３】
以上のように、本実施例によれば、実施例１で述べた効果の他に偏心調整時にカムフォロア７に加わる負荷を軽減できるため、カム溝に対する打痕の恐れがない。
【００３４】
上記の実施例に記載したレンズ装置と、該レンズ装置からの被写体光を受光する撮像素子とを有する撮像装置によって、本発明の効果を享受した、偏心調整を可能とする撮像装置を実現することができる。
【００３５】
以上、本発明の好ましい実施形態について説明したが、本発明のこれらの実施形態に限定されず、その要旨の範囲で種々の変形および変更が可能である。
【符号の説明】
【００３６】
１  レンズ装置
２ａ、２ｂ  工具挿入穴
３ａ、３ｂ  移動筒
４  レンズ保持部
５  カム（カム筒）
６  カム溝
７  カムフォロア
８ａ、８ｂ  固定筒
２１  偏心調整軸
【図１】
2015191141.tif 000003
【図２】
2015191141.tif 000004
【図３】
2015191141.tif 000005
【図４】
2015191141.tif 000006
【図５】
2015191141.tif 000007
【図６】
2015191141.tif 000008
【図７】
2015191141.tif 000009